(57)【要約】【課題】必要な複数の加熱機能を実現しつつも大幅なコンパクト化及び軽量化を図り得る複合熱源機を提供する。【解決手段】燃焼バーナと熱交換器を内蔵した暖房用缶体３４により機外の暖房端末との間に循環させる高温水を生成させる。給湯回路の入水路からの入水と、追い焚き回路の戻り路からの浴槽内湯水の循環湯水とを液−液熱交換器の受熱側に供給する一方、暖房用缶体からの高温水を熱源として供給し、入水と循環湯水とを液−液熱交換により間接加熱させる。液−液熱交換器をそれぞれ内部に流通空間を有する３つの板状体を接合して構成し、外装ケース１３の内底面１３１に添わせて配設する。各接続口７１３，７１４，７２１，７２３，７３３，６１１を貫通させて外部に露出させ、外部での配管接続、あるいは、機外の各種配管との直接的な接続を可能とする。【選択図】　　　図４
2004028534.tif 000002
【特許請求の範囲】
【請求項１】
加熱した高温水を暖房循環路により機外の暖房端末との間で循環させる暖房機能と、入水路からの入水を加熱して出湯路に出湯させる給湯機能と、浴槽内の湯水を追い焚き循環路により循環させながら加熱する追い焚き機能とを含む複数の機能を備えた複合熱源機であって、
燃焼バーナ及びこの燃焼バーナの燃焼熱により熱交換加熱する熱交換器が内蔵され、上記熱交換器により加熱された高温水を上記暖房循環路に供給する暖房用缶体と、
上記暖房用缶体からの高温水が熱源として供給されて上記入水路からの入水及び上記追い焚き循環路内の循環湯水を熱交換加熱する液−液熱交換器とを備え、
上記液−液熱交換器は、それぞれ内部に流通空間を有する複数の板状体が互いに接合されてなる板状熱交換器により構成されている
ことを特徴とする複合熱源機。
【請求項２】
請求項１に記載の複合熱源機であって、
上記液−液熱交換器は外装ケースの内面に添わせて配設されている、複合熱源機。
【請求項３】
請求項２に記載の複合熱源機であって、
上記液−液熱交換器は、上記入水路からの入水が通される板状体と、上記追い焚き循環路内の循環湯水が通される板状体とが略直交配置とされて全体がＬの字状に形成されている、複合熱源機。
【請求項４】
請求項２に記載の複合熱源機であって、
上記入水路及び出湯路に対する液−液熱交換器の両接続口が上記外装ケースを貫通して外部に露出するように配設されている、複合熱源機。
【請求項５】
請求項２に記載の複合熱源機であって、
上記追い焚き循環路の循環湯水の戻り路及び往き路に対する液−液熱交換器の両接続口が上記外装ケースを貫通して外部に露出するように配設されている、複合熱源機。
【請求項６】
請求項２に記載の複合熱源機であって、
上記液−液熱交換器には上記暖房循環路の高温水の往き路から機外の暖房端末への接続口と、上記暖房循環路の戻り路に対し上記暖房端末から放熱後の低温水が戻される接続口とが付設され、これら両接続口が上記外装ケースを貫通して外部に露出するように配設されている、複合熱源機。
【請求項７】
請求項１に記載の複合熱源機であって、
上記暖房用缶体から高温水が供給される上記液−液熱交換器の導入側は、その液−液熱交換器を素通りして機外の暖房端末に上記高温水を供給する往き路と、上記高温水により入水路からの入水を熱交換加熱する上記液−液熱交換器内の経路と、上記高温水により追い焚き循環路内の循環湯水を熱交換加熱する上記液−液熱交換器内の経路との３方向に分岐されるように構成されている、複合熱源機。
【請求項８】
請求項７に記載の複合熱源機であって、
上記２つの経路を個別に開閉切換し得る切換手段を備えている、複合熱源機。
【請求項９】
請求項８に記載の複合熱源機であって、
上記切換手段は、液−液熱交換器に導入された高温水が熱交換された後にその液−液熱交換器から導出される導出側に配設されている、複合熱源機。
【発明の詳細な説明】
【０００１】
【発明の属する技術分野】
本発明は、温水循環式の暖房のための加熱機能と、給湯のための加熱機能との複数の加熱機能、あるいは、これらに加えてさらに風呂の追い焚きのための加熱機能をも備えた複合熱源機に関する。
【０００２】
【従来の技術】
従来、この種の複合熱源機として、図５に示すようなものが知られている。この複合熱源機１ａは、給湯機能と、暖房機能と、追い焚き機能との複数の機能を実現するものである。ここで、給湯機能とは、給水管２から給水される水道水等を加熱して給湯管３を通して給湯栓４に給湯する機能である。暖房機能とは、高温水を浴室乾燥機等の暖房端末５の熱源として高温側接続管６及び暖房戻り接続管７を通して循環供給したり、低温水を低温側接続管８及び暖房戻り接続管７を通して各部屋の暖房端末９，９に循環供給したりして暖房するものである。また、追い焚き機能とは、浴槽１０への湯張り後に浴槽１０内の湯水を戻り接続管１１及び往き接続管１２を通して循環させて追い焚き加熱するものである。
【０００３】
このような各機能を実現する複合熱源機１ａとしては、外装ケース１３ａの内部に、図６に例示するように給湯のための加熱機能を実現する給湯用缶体１４と、暖房のための加熱機能を実現する暖房用缶体１５との２つの缶体を備え、追い焚きのための加熱機能を実現するための２重管式の液−液熱交換器１６を備えたものが知られている。上記給湯用缶体１４及び暖房用缶体１５は共に燃焼バーナ１４ａ，１５ａと、この燃焼バーナ１４ａ，１５ａの燃焼熱により熱交換加熱される熱交換器１４ｂ，１５ｂとを備えたものである。
【０００４】
上記給湯用缶体１４では入水管１７から入水される水道水が加熱され所定温度まで加熱された湯が出湯管１８から給湯管３（図５参照）を通して給湯栓４に給湯され、また、暖房用缶体１５では膨張タンク１９からの温水が暖房用缶体１５で加熱されながら機外の暖房端末５，９等（図５参照）との間を結ぶ暖房循環路２０を通して循環されるようになっている。そして、上記暖房用缶体１５により加熱されて高温水が通過する部位の暖房循環路２０と、機外の浴槽１０（図５参照）内の湯水を循環させる追い焚き循環路２１とが上記液−液熱交換器１６に通されており、浴槽１０から上記戻り接続管１１（図５参照）及び戻り路２１ａを通して戻された湯水が上記高温水により液−液熱交換加熱（間接加熱）され、加熱後の湯水が往き路２１ｂ及び往き接続管１２を通して上記浴槽１０に供給されて追い焚きが行われるようになっている。
【０００５】
【発明が解決しようとする課題】
ところが、従来の複合熱源機においては、上述の各機器が外装ケース１３ａ内に収容されて一つの複合熱源機１ａが構成されるため、その全体サイズがかなり大きくなる上に、その自重もかなりの重量になってしまうという不都合がある。
【０００６】
すなわち、図７にも示すように、外装ケース１３ａの内部に給湯用及び暖房用の２つの缶体１４，１５と、図示省略しているが２重管式のかなりのスペースをとる液−液熱交換器とを配設する必要があり、例えば缶体が１つの給湯単機能の熱源機と比べると大幅に大きくかつ重くなっている。
【０００７】
その上に、近年の熱交換効率の高効率化が要請され、この高効率化を図るべく潜熱回収のための設備、例えば潜熱回収用熱交換器や排ガスドレンを回収して中和するための中和槽等の設備を上記外装ケース１３ａ内にさらに追加設置する必要が生じてきており、複合熱源機のより大型化及びより重量増大化を招く結果となっている。
【０００８】
本発明は、このような事情に鑑みてなされたものであり、その目的とするところは、必要な複数の加熱機能を実現しつつも大幅なコンパクト化及び軽量化を図り得る複合熱源機を提供することにある。
【０００９】
【課題を解決するための手段】
上記目的を達成するために、本発明は、加熱のための缶体を暖房用の１つにする一方、給湯及び追い焚きのための加熱を暖房用缶体により加熱される高温水を用いて液−液熱交換による間接加熱にしたものであり、さらに、液−液熱交換のための液−液熱交換器を板状にしてコンパクト化及び軽量化を図るようにしたものである。
【００１０】
具体的には、本発明では、加熱した高温水を暖房循環路により機外の暖房端末との間で循環させる暖房機能と、入水路からの入水を加熱して出湯路に出湯させる給湯機能と、浴槽内の湯水を追い焚き循環路により循環させながら加熱する追い焚き機能とを含む複数の機能を備えた複合熱源機を対象として、次の特定事項を備えることとした。すなわち、燃焼バーナ及びこの燃焼バーナの燃焼熱により熱交換加熱する熱交換器が内蔵され、上記熱交換器により加熱された高温水を上記暖房循環路に供給する暖房用缶体と、上記暖房用缶体からの高温水が熱源として供給されて上記入水路からの入水及び上記追い焚き循環路内の循環湯水を熱交換加熱する液−液熱交換器とを備えたものとする。加えて、上記液−液熱交換器を、それぞれ内部に流通空間を有する複数の板状体が互いに接合されてなる板状熱交換器により構成した（請求項１）。
【００１１】
本発明によれば、暖房機能が上記暖房用缶体により、また、給湯機能及び追い焚き機能が上記液−液熱交換器によりそれぞれ実現される上に、大幅なコンパクト化及び軽量化を図り得る。すなわち、従来の如き２つの缶体と１つの液−液熱交換器とを必要とするものと比べ、１つの缶体と１つの液−液熱交換器とで済み、複合熱源機全体のコンパクト化及び軽量化を図り得る。その上に、液−液熱交換器が扁平な板状熱交換器により構成されているため、缶体を１つ省略することと相俟って大幅なコンパクト化を実現し得ることになる。
【００１２】
上記の本発明においては、上記液−液熱交換器を外装ケースの内面に添わせて配設することがより好ましい（請求項２）。この場合、液−液熱交換器が扁平な板状熱交換器により構成されているため、外装ケースの内面に添わせて配設することが可能になり、内面に添わせて配設することで複合熱源機全体のコンパクト化をより一層向上させ得る上に、外装ケースの内部空間を利用する上での自由度も増大させ得ることになる。
【００１３】
このように外装ケースの内面に添わせて配設する場合には、外装ケースの内底面、内奥面、内側面又は内頂面のいずれを配設位置として選択してもよいが、次のような構成を採用することもできる。すなわち、上記液−液熱交換器として、上記入水路からの入水が通される板状体と、上記追い焚き循環路内の循環湯水が通される板状体とを略直交配置として全体をＬの字状に形成することもできる（請求項３）。この場合には、外装ケースの内部空間の利用上便宜になり得る一方、例えば上記外装ケースの内底面と内奥面とのそれぞれに、あるいは、内底面と内側面とのそれぞれに添わせるという配設形態を採用し得ることになる。
【００１４】
また、上記の如き外装ケースの内面に添わせて配設する場合には、次の第１〜第３の構成を追加することにより、さらに有用な作用が得られることになる。すなわち、第１には、上記入水路及び出湯路に対する液−液熱交換器の両接続口を、上記外装ケースを貫通して外部に露出するように配設してもよい（請求項４）。この場合には、接続口に対し外装ケースの外部で水道水の給水管等と直接的に接続したり、給湯栓に対する給湯管を直接的に接続したりすることが可能になる。このため、本来は外装ケース内に配設されていた上記接続口に対する接続金具等の配設スペースが不要となり、複合熱源機のよりコンパクト化や軽量化が達成される。すなわち、入水路の接続金具を外装ケース外に露出させこの接続金具に上記給水管等を接続し、外装ケース内で入水路を延長して液−液熱交換器の接続口に接続金具等を介して接続する場合と比べ、上記接続金具等の大半の配設スペースが不要となる。
【００１５】
第２には、上記追い焚き循環路の循環湯水の戻り路及び往き路に対する液−液熱交換器の両接続口を上記外装ケースを貫通して外部に露出するように配設してもよい（請求項５）。この場合には、浴槽に接続される機外の往き・戻りの接続管を上記各接続口に直接的に接続することが可能になる。このため、本来は外装ケース内に配設されていた上記戻り路や往き路を可及的に短縮化したり、その戻り路や往き路の配設スペースを不要にしたりすることが可能になる。これにより、複合熱源機のよりコンパクト化や軽量化が達成される。
【００１６】
第３には、上記液−液熱交換器に、上記暖房循環路の高温水の往き路から機外の暖房端末への接続口と、上記暖房循環路の戻り路に対し上記暖房端末から放熱後の低温水が戻される接続口とを付設し、これら両接続口を上記外装ケースを貫通して外部に露出するように配設してもよい（請求項６）。この場合には、暖房端末に接続される機外の往き・戻りの接続管を上記各接続口に接続することが可能になる。このため、本来は外装ケース内に配設されていた上記暖房循環路の往き路や戻り路を可及的に短縮化したり、その往き路や戻り路の配設スペースを不要にしたりすることが可能になる。これにより、複合熱源機のよりコンパクト化や軽量化が達成される。
【００１７】
また、本発明において、上記暖房用缶体から高温水が供給される上記液−液熱交換器の導入側として、その液−液熱交換器を素通りして機外の暖房端末に上記高温水を供給する往き路と、上記高温水により入水路からの入水を熱交換加熱する上記液−液熱交換器内の経路と、上記高温水により追い焚き循環路内の循環湯水を熱交換加熱する上記液−液熱交換器内の経路との３方向に分岐される構成としてもよい（請求項７）。つまり、液−液熱交換器内に上記の２つの経路を個別に分岐形成する一方、暖房端末への高温水の往き路を上記液−液熱交換器において分岐させるようにするものである。そして、この場合には、さらに、上記２つの経路を個別に開閉切換し得る切換手段を備えることが好ましい（請求項８）。この場合には、給湯要求と、追い焚き要求とのそれぞれの有無に応じて熱源である高温水を適切に供給することが可能になり、高温水を熱源として効率よく利用することが可能になる。また、上記切換手段としては、液−液熱交換器に導入された高温水が熱交換された後にその液−液熱交換器から導出される導出側に配設することが好ましい（請求項９）。導出側に配設することで、入水又は循環湯水に対する加熱切換時において少しでも熱交換加熱の効率を高めることが可能になる。その上に、切換手段に対しては熱交換後のより低温となった温水が通されるようになるため、切換手段の熱的耐久性を向上させることが可能になる。
【００１８】
【発明の効果】
以上、説明したように、請求項１〜請求項９の複合熱源機によれば、暖房機能を暖房用缶体により、また、給湯機能及び追い焚き機能を液−液熱交換器によりそれぞれ実現させることができる上に、従来の如き２つの缶体と１つの液−液熱交換器とを必要とするものと比べ、１つの缶体と１つの液−液熱交換器とで済むため複合熱源機全体のコンパクト化及び軽量化を図ることができる。その上に、液−液熱交換器を扁平な板状熱交換器により構成しているため、缶体を１つ省略することと相俟って大幅なコンパクト化を実現することができる。
【００１９】
特に、請求項２によれば、液−液熱交換器が扁平な板状熱交換器により構成されているため、外装ケースの内面に添わせて配設する形態を実現することもでき、内面に添わせて配設することで複合熱源機全体のコンパクト化をより一層向上させることができる上に、外装ケースの内部空間を利用する上での自由度も増大させることができる。
【００２０】
請求項３によれば、液−液熱交換器の全体形状をＬの字状に形成することにより、外装ケースの内部空間を利用する上で便宜になり得る一方、例えば上記外装ケースの内底面と内奥面とのそれぞれに、あるいは、内底面と内側面とのそれぞれに添わせるという配設形態を採用することができることになる。
【００２１】
請求項４によれば、接続口に対し外装ケースの外部で水道水の給水管等と直接的に接続したり、給湯栓に対する給湯管を直接的に接続したりすることができ、外装ケース内で入水路を延長して液−液熱交換器の接続口に接続金具等を介して接続する場合と比べ、上記接続金具等の大半の配設スペースが不要となって複合熱源機のよりコンパクト化を達成させることができる。また、請求項５によれば、浴槽に接続される機外の往き・戻りの接続管を上記各接続口に直接的に接続することができ、追い焚き循環路を構成する戻り路や往き路を可及的に短縮化したり、その戻り路や往き路の配設スペースを不要にしたりすることができる。これにより、複合熱源機のよりコンパクト化や軽量化を達成させることができる。さらに、請求項６によれば、暖房端末に接続される機外の往き・戻りの接続管を上記各接続口に接続することができ、暖房循環路の往き路や戻り路を可及的に短縮化したり、その往き路や戻り路の配設スペースを不要にしたりすることができる。これにより、複合熱源機のよりコンパクト化や軽量化を達成させることができる。
【００２２】
請求項７によれば、暖房用の高温水を熱源として入水に対する熱交換加熱と、循環湯水に対する熱交換加熱とを個別に実行させることが可能になる。そして、請求項８によれば、給湯要求と、追い焚き要求とのそれぞれの有無に応じて熱源である高温水の経路を切換手段により切換えて高温水を適切に供給することができ、高温水を熱源として効率よく利用することができる。また、請求項９によれば、上記切換手段を導出側に配設することで、入水又は循環湯水に対する加熱切換時において少しでも熱交換加熱の効率を高めることができる。その上に、切換手段の熱的耐久性を向上させることができる。
【００２３】
【発明の実施の形態】
以下、本発明の実施形態を図面に基づいて説明する。
【００２４】
図１は、本発明の第１実施形態に係る複合熱源機１の内部構成を示す。この複合熱源機１は、暖房回路３１と、給湯回路３２と、追い焚き回路３３とを備えたものであり、追い焚き時及び／又は給湯時には追い焚き回路３３の循環湯水及び／又は給湯回路３２の入水を上記暖房回路３１の高温水との液−液熱交換により間接加熱するものである。以下、上記複合熱源機１について詳細に説明する。
【００２５】
上記暖房回路３１は、燃焼バーナ３４ａ及びこの燃焼バーナ３４ａの燃焼熱により熱交換加熱される熱交換器３４ｂを備えた暖房用缶体３４と、上記熱交換器３４ｂを通る暖房循環路３５と、この暖房循環路３５の途中に介装された貯湯タンクとしての膨張タンク３６及び循環ポンプ（以下「暖房ポンプ」という）３７とを備えている。
【００２６】
上記暖房循環路３５は、上記熱交換器３４ｂで加熱された高温水（例えば８０℃の温水）を高温側接続管６（図５参照）に供給する高温往き路３８と、高温側の暖房端末５（図５参照）で放熱された後の低温水を上記膨張タンク３６及び暖房ポンプ３７を介して上記熱交換器３４ｂに戻す暖房戻り路３９と、上記暖房ポンプ３７の吐出側から分岐して低温水（例えば６０℃の温水）を低温側接続管８（図５参照）に供給する低温往き路４０とを備えている。そして、上記高温往き路３８の分岐部４１から上記高温水が後述の液−液熱交換器５１を構成する熱源側板状体７１に対し熱源として供給され、また、その熱源側板状体７１から出た熱交換後の低温水が上記暖房戻り路３９の合流部４２に対し合流されるようになっている。なお、図１は通路の接続関係を示すものに過ぎず、例えば分岐部４１から液−液熱交換器５１に延びる通路を示す線分や、液−液熱交換器５１から合流部４２に延びる通路を示す線分の長短は意味を持たない。
【００２７】
なお、上記膨張タンク３６には、給湯回路３２の後述の入水路から分岐する補水路４３が接続されており、この補水路４３を通して補水されるようになっている。
【００２８】
そして、上記暖房回路３１においては、図示省略のコントローラやリモコンにより運転制御が行われ、暖房ポンプ３７の作動により膨張タンク３６内の温水が熱交換器３４ｂに送られ、燃焼バーナ３４ａの燃焼熱により加熱されて上記の高温水が生成され、この高温水が高温往き路３８や液−液熱交換器５１に供給され、放熱後又は熱交換後の低温水が上記膨張タンク３６に戻されて再び循環されることになる。
【００２９】
上記給湯回路３２は、液−液熱交換器５１と、給水管２（図５参照）が接続されて水道水を上記液−液熱交換器５１の受熱側に入水させる入水路５２と、上記液−液熱交換器５１により熱交換加熱された湯が出湯されて給湯管３（図５参照）に供給する出湯路５３と、上記液−液熱交換器５１をバイパスして上記入水路５２の入水を出湯路５３の湯に混合して所定の温度に温調するためのバイパス路５４とを備えている。
【００３０】
上記追い焚き回路３３は、戻り接続管１１（図５参照）が接続されて浴槽１０の湯水を上記液−液熱交換器５１の受熱側に戻す風呂戻り路６１と、上記液−液熱交換器５１により熱交換加熱されて昇温した湯水を往き接続管１２（図５参照）に供給する風呂往き路６２と、上記風呂戻り路６１及び風呂往き路６２からなる追い焚き循環路６３により浴槽内の湯水を循環させる循環ポンプ（以下「風呂ポンプ」という）６４とを備えている。上記追い焚き循環路６３の所定部位には上記出湯路５３から分岐する注湯路６５が接続されており、この注湯路６５に介装された注湯弁６６を開くことで給湯回路３２からの出湯を上記浴槽１０に湯張りし得るようになっている。
【００３１】
上記液−液熱交換器５１は板状熱交換器により構成されたものであり、その一例が図２及び図３に示されている。この液−液熱交換器５１は、上記暖房回路３１の高温水が供給される熱源側板状体７１と、上記給湯回路３２の入水路５２から入水される受熱側の第１板状体７２と、上記追い焚き回路３３の風呂戻り路６１からの循環湯水が供給される同じく受熱側の第２板状体７３とを備えたものである。
【００３２】
上記各板状体７１，７２，７３は内部に流通空間が区画形成された扁平なパネル状に形成されており、上記第１及び第２の両板状体７２，７３がそれぞれ熱源側板状体７１に対し伝熱可能に面接触状態で接合されて一体化されている。
【００３３】
上記熱源側板状体７１はその内部が第１板状体７２に対し伝熱させる経路７１１と、第２板状体７３に対し伝熱させる経路７１２とに分けられている。そして、暖房用缶体３４から接続口４１１に入った高温水が、熱源側板状体７１を素通りして高温往き路３８に入る接続口７１３と、上記の両経路７１１，７１２とにそれぞれ分岐されている。そして、上記両経路７１１，７１２の下流端が、暖房戻り路３９との合流部４２において切換手段としての３方切換弁７４を介して接続され、この３方切換弁７４により個別に開閉切換が可能となっている。つまり、図１においては分岐部４１と、液−液熱交換器５１の導入側位置での分岐とが互いに離されて図示されているが、実際の構造では上記接続口４１１での分岐が上記分岐部４１を構成し、また、同図においては合流部４２と３方切換弁７４とが互いに離されて図示されているが、実際の構造では上記３方切換弁７４は合流部４２近傍位置に設置されており、接続口７１４（図３参照）が暖房戻り路３９の一部を構成して機外の暖房戻り接続管７（図５参照）が接続されるようになっている。
【００３４】
なお、上記の両経路７１１，７１２としては、図２及び図３では折返し状の流通通路を図示しているが、熱源側板状体７１の内部の流通空間を単に２つの区画して仕切ることにより形成するようにしてもよい。また、熱源側板状体７１を上記の両経路７１１，７１２に対応する２つの独立した板状体により構成してもよい。
【００３５】
また、上記第１板状体７２は、入水路５２（図１参照）の下流端との接続口７２１から内部の流通経路７２２（図３参照）に入水され、流通経路７２２を流れる間に熱源側板状体７１からの伝熱により液−液熱交換加熱され、加熱後の湯が出湯路５３の上流端との接続口７２３から出湯されるようになっている。なお、この第１板状体７２においても、図３には折返し状の流通経路７２２を図示しているが、第１板状体７２の内部の流通空間を区画しないでそのまま流通経路として利用するようにしてもよい。
【００３６】
さらに、上記第２板状体７３は、風呂戻り路６１（図１参照）の下流端との接続口７３１から循環湯水が内部の流通経路７３２に供給され、流通経路７３２を流れる間に熱源側板状体７１からの伝熱により液−液熱交換加熱され、加熱後の循環湯水が風呂往き路６２の上流端との接続口７３３から出されるようになっている。なお、この第２板状体７３も、図３には折返し状の流通経路７３２を図示しているが、第１板状体７３の内部の流通空間を区画しないでそのまま流通経路として利用するようにしてもよい。
【００３７】
以上の液−液熱交換器５１は図４（ａ）に示すように外装ケース１３の内底面１３１に添わせて配設され、上記の各接続口７１３，７１４，７２１，７２３，７３３と、戻り接続管１１（図５参照）の上流端との接続口６１１（図２も併せて参照）とが上記内底面１３１を貫通して外部に露出して配設されている。そして、高温側接続管６（図５参照）が上記接続口７１３に、暖房戻り接続管７が上記接続口７１４にそれぞれ接続され、高温往き路３８や暖房戻り路３９が可及的に短縮化されるようになっている。また、給水管２（図５参照）が接続口７２１に、給湯管３が接続口７２３にそれぞれ接続され、入水路５２及び出湯路５３が共に可及的に短縮されるようになっている。さらに、往き接続管１２（図５参照）が上記接続口７３３に、戻り接続管１１が上記接続口６１１にそれぞれ接続され、追い焚き循環路６３の風呂戻り路６１や風呂往き路６２が可及的に短縮化されるようになっている。
【００３８】
以上の複合熱源機１において、暖房用缶体３４の燃焼は液−液熱交換器５１での加熱応答性を考慮して常時作動させるようにしてもよいし、少なくとも副暖房往き路４１に対し一定温度以上の高温水が供給可能であれば、一定温度を維持し得るように間欠燃焼作動させてもよい。さらには、給湯栓４（図５参照）が開かれて給湯要求のあることを入水流量センサ５５により検知された時点で、初めて上記暖房用缶体３４での燃焼作動を開始させるようにしてもよい。
【００３９】
以上の複合熱源機１の場合、暖房、給湯、追い焚きの各機能を１つの暖房用缶体３４と、１つの液−液熱交換器５１とにより実現することができるため、図６に示す従来のものと比べ少なくとも缶体１４が不要になる分だけコンパクト化及び軽量化を図ることができる。その上に、上記液−液熱交換器５１を板状熱交換器により構成し、その液−液熱交換器５１を外装ケース１３の内面に添わせて配設しているため、外装ケース１３全体の必要サイズ、つまり複合熱源機１の全体サイズを大幅にコンパクト化することができる。さらに、上記液−液熱交換器５１を特に外装ケース１３の内底面１３１に添わせて配設し各接続口７１３，７１４，７２１，７２３，７３３，６１１を外部に露出して配設しているため、各種配管の接続を外装ケース１３の外部（底側）で行うことができるようになる。これにより、接続のための配管部材や接続金具等の配設スペースを削減することができ、外装ケース１３の必要サイズのより一層のコンパクト化を図ることができる。
【００４０】
＜他の実施形態＞
なお、本発明は上記実施形態に限定されるものではなく、その他種々の実施形態を包含するものである。すなわち、上記実施形態では、液−液熱交換器５１を全体が平面板状になるように構成しているが、これに限らず、例えば第１板状体７２と、第２板状体７３とを図４（ｂ）に示すように直交配置とし、それぞれに熱源側板状体７１ａ，７１ｂを接合して全体形状がＬの字状に構成してもよい。この場合には、外装ケース１３の内底面１３１と内奥面１３２とに添わして配設し、各接続口を外部に露出させるようにすればよい。もちろん、上記外装ケース１３の内底面１３１と内側面１３３とに添わして配設し、各接続口７２１等を外部に露出させるようにしてもよい。
【００４１】
また、切換手段として３方切換弁７４を示したが、所定数の開閉弁の組み合わせにより切換手段を構成するようにしてもよい。
【図面の簡単な説明】
【図１】本発明の実施形態を示す模式図である。
【図２】液−液熱交換器の斜視図である。
【図３】図２の液−液熱交換器の分解斜視図である。
【図４】複合熱源機の外装ケースの前面カバーを外した状態における液−液熱交換器の配設状態を示すものであり、図４（ａ）は内底面に配設した状態の一部省略斜視図、図４（ｂ）は内底面及び内奥面に配設した状態の一部省略斜視図である。
【図５】複合熱源機と機外の各種設備との接続例を示す説明図である。
【図６】従来の複合熱源機を示す模式図である。
【図７】従来の複合熱源機の外装ケースの前面カバーを外した状態に示す一部省略斜視図である。
【符号の説明】
１　　　　　複合熱源機
５，９　　　暖房端末
１０　　　　浴槽
１３　　　　外装ケース
３４　　　　暖房用缶体
３４ａ　　　燃焼バーナ
３４ｂ　　　熱交換器
３５　　　　暖房循環路
３８　　　　高温往き路（高温水の往き路）
３９　　　　暖房戻り路（暖房循環路の戻り路）
５１　　　　液−液熱交換器
５２　　　　入水路
５３　　　　出湯路
６１　　　　風呂戻り路（循環湯水の戻り路）
６２　　　　風呂往き路（循環湯水の往き路）
６３　　　　追い焚き循環路
７１　　　　熱源側板状体
７２　　　　第１板状体
７３　　　　第２板状体
７４　　　　３方切換弁（切換手段）
１３１　　　外装ケースの内底面（外装ケースの内面）
１３２　　　外装ケースの内奥面（外装ケースの内面）
１３３　　　外装ケースの内側面（外装ケースの内面）
７１１，７１２　　高温水の経路
７１３，７１４　　接続口
７２１，７２３　　接続口
６１１，７３３　　接続口
【図１】
2004028534.tif 000003
【図２】
2004028534.tif 000004
【図３】
2004028534.tif 000005
【図４】
2004028534.tif 000006
【図５】
2004028534.tif 000007
【図６】
2004028534.tif 000008
【図７】
2004028534.tif 000009